(57)【要約】【課題】消耗備品の着脱交換など集塵装置を使用する上で実行される付帯作業の効率的な実行を可能にでき、集塵装置の運用コストを低減することができる集塵装置の運用管理システムを提供する。【解決手段】集塵袋２２を含む少なくとも１つの消耗備品を着脱可能な可搬式の集塵装置１１の運用管理システムは、集塵装置の管理ルーム５０内に、集塵装置を保管する保管ヤード５１と、消耗備品をストックする在庫ヤード５２と、集塵装置を使用する上での消耗備品の着脱作業を含む少なくとも１つの付帯作業を実行可能な作業ヤード５３と、を並設した。【選択図】図５
2014176906.tif 000002
【特許請求の範囲】
【請求項１】
集塵袋を含む少なくとも１つの消耗備品を着脱可能な可搬式の集塵装置の運用管理システムであって、
前記集塵装置の管理ルーム内に、前記集塵装置を保管する保管ヤードと、前記消耗備品をストックする在庫ヤードと、前記集塵装置を使用する上での前記消耗備品の着脱作業を含む少なくとも１つの付帯作業を実行可能な作業ヤードと、を並設したことを特徴とする集塵装置の運用管理システム。
【請求項２】
請求項１に記載の集塵装置の運用管理システムにおいて、
前記保管ヤードは、前記在庫ヤード及び前記作業ヤードよりも前記管理ルームが有する１つの出入口側に位置することを特徴とする集塵装置の運用管理システム。
【請求項３】
請求項１又は請求項２に記載の集塵装置の運用管理システムにおいて、
前記管理ルーム内には、前記作業ヤードにおいて前記集塵装置から分離された集塵袋を廃棄するための廃棄ボックスを設けたことを特徴とする集塵装置の運用管理システム。
【請求項４】
請求項３に記載の集塵装置の運用管理システムにおいて、
前記作業ヤードには、前記集塵装置から分離される集塵袋における塵の収容部分よりも開口部側の部位を封止可能な封止具が設けられていることを特徴とする集塵装置の運用管理システム。
【請求項５】
請求項４に記載の集塵装置の運用管理システムにおいて、
前記集塵袋は熱可塑性材料で長尺筒状をなすように形成される一方、前記封止具は前記集塵袋の前記塵の収容部分よりも前記開口部側の部位を帯状に熱溶着して封止することを特徴とする集塵装置の運用管理システム。
【発明の詳細な説明】
【技術分野】
【０００１】
本発明は、例えば穿孔作業等で発生する微細な塵を吸引して集塵する可搬式の集塵装置の運用管理システムに関する。
【背景技術】
【０００２】
一般に、電動ドリル等の工具を用いて穿孔作業をすると、その穿孔作業に伴い粉塵等の微細な塵が発生する。こうした塵は、それが周囲に飛散すると、作業環境を悪化させる虞があるため、その発生時において飛散させることなく集塵することが望ましい。そこで、電動ドリル等の電動工具と共に携帯することにより移動可能とされ、複数箇所で穿孔作業を行う毎に発生した微細な塵を、その電動工具と集塵袋との間を連結する集塵管を介して集塵袋内に吸引して集塵可能な可搬式の集塵装置が従来から使用されている（例えば特許文献１参照）。
【先行技術文献】
【特許文献】
【０００３】
【特許文献１】実開平５−１２０５９号公報
【発明の概要】
【発明が解決しようとする課題】
【０００４】
ところで、集塵装置には、集塵袋やフィルター部材など各種の消耗備品が必要に応じて着脱交換される。また、集塵袋内の塵は、その集塵袋が集塵装置から分離されて廃棄される際に、その集塵袋内に収容された状態のまま、その集塵袋と共に廃棄される。そして、こうした消耗備品の着脱交換や内部に塵を収容した集塵袋の集塵装置からの分離及び廃棄という集塵装置を使用する上での付帯作業は、その処置にある程度の時間を要するため、こうした付帯作業を穿孔作業等の実行途中に該作業を中断して行っていると、作業効率を悪化させる虞がある。
【０００５】
本発明は、このような実情に鑑みてなされたものであり、その目的は、消耗備品の着脱交換など集塵装置を使用する上で実行される付帯作業の効率的な実行を可能にでき、集塵装置の運用コストを低減することができる集塵装置の運用管理システムを提供することにある。
【課題を解決するための手段】
【０００６】
上記課題を解決する集塵装置の運用管理システムは、集塵袋を含む少なくとも１つの消耗備品を着脱可能な可搬式の集塵装置の運用管理システムであって、前記集塵装置の管理ルーム内に、前記集塵装置を保管する保管ヤードと、前記消耗備品をストックする在庫ヤードと、前記集塵装置を使用する上での前記消耗備品の着脱作業を含む少なくとも１つの付帯作業を実行可能な作業ヤードと、を並設している。
【０００７】
この構成によれば、保管ヤードに保管されている集塵装置を管理ルームから持ち出して使用するにあたり、例えば集塵袋の新旧交換が必要と判断される場合には、集塵装置から旧い集塵袋を分離すると共に在庫ヤードから新しい集塵袋を取り出して、新旧の集塵袋の交換という付帯作業を、保管ヤードに並設された作業ヤードにおいて即座に実行できる。そして、かかる付帯作業を作業ヤードで実行済みの集塵装置を管理ルームから持ち出して穿孔作業等に使用するようにすれば、その作業の途中で集塵袋の着脱等という付帯作業が必要となって穿孔作業等を中断させてしまう虞を小さくできる。したがって、消耗備品の着脱交換など集塵装置を使用する上で実行される付帯作業の効率的な実行を可能にでき、集塵装置の運用コストを低減することができる。
【０００８】
また、上記集塵装置の運用管理システムにおいて、前記保管ヤードは、前記在庫ヤード及び前記作業ヤードよりも前記管理ルームが有する１つの出入口側に位置していることが好ましい。
【０００９】
この構成によれば、管理ルームが有する１つの出入口を通じて管理ルーム内に入ると、他のヤードを経由することなく、集塵装置の保管ヤードに入ることができ、その時点では持ち出そうとする集塵装置に関して付帯作業は必要なしと判断した場合、即座に、出入口から管理ルーム外へ集塵装置を持ち出すことができる。したがって、最短の動線にて集塵装置の持ち出し作業を行うことができ、この点でも集塵装置の運用コストを低減することができる。
【００１０】
また、上記集塵装置の運用管理システムにおいて、前記管理ルーム内には、前記作業ヤードにおいて前記集塵装置から分離された集塵袋を廃棄するための廃棄ボックスを設けることが好ましい。
【００１１】
この構成によれば、管理ルーム内の作業ヤードで集塵装置から分離した集塵袋内に塵が収容されている場合、その集塵袋を管理ルームの外に持ち出すことなく、管理ルーム内の廃棄ボックスに廃棄できるので、管理ルームの外へ微細な塵が飛散する虞を低減できる。したがって、そのような塵が管理ルームの外へ飛散した場合に必要となる除塵作業のコストが不要になる点でも、集塵装置の運用コストの低減に寄与できる。
【００１２】
また、上記集塵装置の運用管理システムにおいて、前記作業ヤードには、前記集塵装置から分離される集塵袋における塵の収容部分よりも開口部側の部位を封止可能な封止具が設けられていることが好ましい。
【００１３】
この構成によれば、集塵装置から内部に塵を収容した集塵袋を分離して中身の塵と共に廃棄する際に、集塵袋内から塵が漏出しないように、前もって集塵袋の開口部付近を封止することができる。したがって、管理ルーム内に集塵袋から塵が漏出して飛散する虞を低減できるので、そのような塵が管理ルーム内で飛散した場合に必要となる除塵作業のコストが不要になる点でも、集塵装置の運用コストの低減に寄与できる。
【００１４】
また、上記集塵装置の運用管理システムにおいて、前記集塵袋は熱可塑性材料で長尺筒状をなすように形成される一方、前記封止具は前記集塵袋の前記塵の収容部分よりも前記開口部側の部位を帯状に熱溶着して封止することが好ましい。
【００１５】
この構成によれば、集塵袋における開口部側の帯状に熱溶着された部分の幅方向の内側を切断すると、新たな集塵袋の底部が形成されると共に、その切断時に塵が落下することもないので、そのような落下した塵の除塵作業コストが不要になる点でも、集塵装置の運用コストの低減に寄与できる。
【発明の効果】
【００１６】
本発明によれば、消耗備品の着脱交換など集塵装置を使用する上で実行される付帯作業の効率的な実行を可能にでき、集塵装置の運用コストを低減することができる。
【図面の簡単な説明】
【００１７】
【図１】集塵装置を携帯した作業者が電動工具を使用して穿孔作業をする状態を示す概略斜視図。
【図２】集塵装置の斜視図。
【図３】可搬支持具の斜視図。
【図４】（ａ）は集塵装置の正面図、（ｂ）は集塵装置の側面図。
【図５】集塵装置の管理ルームの内部構成を説明する概略図。
【図６】集塵袋の塵収容部分がヒートシールで密閉される状態を示す模式図。
【図７】集塵袋を展開して示す平面図。
【図８】作業者に携帯された集塵装置がその姿勢を変位させた状態を示す模式図。
【図９】変形例の集塵装置の使用状態を示す概略斜視図。
【図１０】（ａ）（ｂ）（ｃ）（ｄ）は、それぞれ各変形例の集塵装置の可搬態様を示す概略斜視図。
【発明を実施するための形態】
【００１８】
以下、可搬式の集塵装置の一実施形態を、その装置の運用管理システムと共に、図を参照して説明する。
図１に示すように、本実施形態の集塵装置１１は電動工具１２と共に作業者１３が携帯して使用できる可搬式の集塵装置である。そのため、作業者１３は、電動工具１２を使用して穿孔作業等を行ったときに微細な塵の発生する作業箇所が複数箇所に亘る場合にも、それらの箇所で発生した塵を電動工具１２と共に集塵装置１１を移動させることにより適宜に集塵可能とされる。
【００１９】
本実施形態で例示する電動工具１２は、その先端にドリル１４が取り付けられた電動ドリルであって、図示しないモーターの駆動力でドリル１４を回転させることにより、作業台１５上に固定配置された被加工品１６に穿孔作業を行うことができる。なお、被加工品１６は、例えばＣＦＲＰ（Carbon-Fiber-Reinforced-Plastic）材や石膏材等からなり、電動工具１２を使用した穿孔作業により孔１６ａを形成すると、切削屑や粉塵など微細な塵が発生するものである。また、作業台１５が設置された箇所には、図示しない空気ポンプから空気を圧送する弾性材からなる送気パイプ１７が上方から垂下され、その送気パイプ１７の下端部は、作業者１３が持つ電動工具１２の一部（図１では取手部分）に支持されている。
【００２０】
図１に示すように、電動工具１２におけるドリル１４の基端部周りには、ドリル１４の穿孔作業によって発生した塵を取り込み可能な内部空間を有するフード部１８が取り付けられている。そして、このフード部１８は、フード部１８側から集塵装置１１側への塵の流動を可能とする弾性材からなる送塵パイプ１９により集塵装置１１に連結されている。また、この送塵パイプ１９における集塵装置１１側の端部である下流側端部と送気パイプ１７の下端部との間は、送気パイプ１７側から送塵パイプ１９の下流側端部内を介した集塵装置１１側への圧送空気の流動を可能とする通気パイプ２０により連結されている。したがって、送気パイプ１７から通気パイプ２０及び送塵パイプ１９の下流側端部を介して集塵装置１１側へ圧送空気が流れると、送塵パイプ１９内が負圧になるため、ドリル１４の穿孔作業で発生してフード部１８内に取り込まれた塵は送塵パイプ１９内を通って集塵装置１１に吸引される。
【００２１】
図２に示すように、集塵装置１１は、送塵パイプ１９を介して電動工具１２側から含塵空気を吸引可能な内部がサイクロン構造の本体部２１と、本体部２１が吸引した含塵空気中から空気と分離された塵を受け入れ可能な状態で本体部２１の下端部に着脱可能に装着される集塵袋２２と、本体部２１が支持される可搬支持具２３とを備えている。また、本体部２１における集塵袋２２が装着された下端部とは反対側となる上端部には、フィルター部材２４が着脱可能に装着されている。すなわち、送塵パイプ１９の下流側端部から本体部２１内に吸引された含塵空気は、本体部２１内で空気と塵に分離された後、空気は上方に位置するフィルター部材２４により清浄化されて大気中に排出される一方、塵はサイクロン構造が起す旋回流に従って下方に位置する集塵袋２２内に受け入れられる。
【００２２】
集塵袋２２は、熱可塑性材料からなる長尺筒状の袋体であって、その長さ方向の一端部（図２では下端部）が帯状に熱溶着で封止されることにより、袋体の底部２２ａが形成されている。そして、集塵袋２２における長さ方向で塵２５の収容部分２２ｂよりも開口部２２ｃ側の部分は、蛇腹状に繰り返し折り畳まれた状態で、本体部２１の下端部に対して嵌合するように装着されている。なお、この場合、集塵袋２２は、その開口部２２ｃ側の端部が、ベルト部材２６の締め付け力で本体部２１の周面に締め付け固定される一方、塵２５の収容部分２２ｂが、蛇腹状をなす部分との境界部分に取り付けられたＯリング２７の締め付け力により密封構造をなすようにシールされる。
【００２３】
図２及び図３に示すように、可搬支持具２３は、集塵装置１１の本体部２１に垂れ下がるように装着された集塵袋２２の下端部と本体部２１の上端側に装着されたフィルター部材２４の上端部との間の距離寸法よりも縦方向の長さ寸法が大きい矩形状の背板部３１を有している。背板部３１の上方寄り位置には、鍔状をなす支持部３２が背板部３１から直交するように前方に向けて突設されている。支持部３２には複数（図３の場合は６つ）の挿通孔３３が貫通形成され、これらの各挿通孔３３に各々挿通したねじ３４が本体部２１に形成されたねじ穴（図示略）に螺合することにより、本体部２１は可搬支持具２３に支持されている。なお、支持部３２における各挿通孔３３で取り囲まれた中央位置にはフィルター部材２４を挿通可能とする大径の貫通孔３５が形成されている。
【００２４】
また、可搬支持具２３における背板部３１の下端部には、支持部３２と略同形状をなす底板部３６が、上方の支持部３２と対向するように、背板部３１から前方側へ向けて突設されている。さらに、背板部３１の長手方向に沿う両側部には、上端が支持部３２の縁に連結されると共に下端が底板部３６の縁に連結される一対の側板部３７が、左右で互いに対向するように、背板部３１から前方側へ向けてリブ状に突設されている。さらに、背板部３１の上端部には、フック部３８として機能するように先端側部分がフック形状をなすように形成された部材が、その基端側部分をピン３９で軸支されることにより、背板部３１に対して回動自在に支持されている。なお、フック部３８は作業者１３の腰に巻かれるベルト４０などの他部材に対して掛止可能な形状をしている。
【００２５】
図４（ａ）（ｂ）に示すように、可搬支持具２３は、集塵装置１１における本体部２１の下端部に装着した集塵袋２２が、背板部３１に面する方向以外の他の三方向（つまり、背板部３１の前方及びその両側方）から視認可能且つ着脱可能となるように、その三方向が開放された形状をしている。すなわち、背板部３１の前面側で支持部３２と底板部３６との間の空間域は集塵袋２２の占有空間域４１となるが、可搬支持具２３における側板部３７は、その占有空間域４１内の集塵袋２２を側方から視認可能とするべく、その前端となる端縁部３７ａが支持部３２や底板部３６の各前端よりも後方側へ大きく後退するように抉り形成されている。そのため、本体部２１に対して集塵袋２２を着脱する場合には、このように開放された三方向からの着脱が可能とされる。その一方、可搬支持具２３における背板部３１の外縁部３１ａ、支持部３２の外縁部３２ａ、及び底板部３６の外縁部３６ａは、何れも本体部２１に装着された集塵袋２２の占有空間域４１の外側に位置している。
【００２６】
次に、上記の集塵装置１１の運用管理システムについて説明する。
図５に示すように、集塵装置１１は、例えば工場内の所定区域に設けられる管理ルーム５０において、その保管及びメンテナンス作業が行われるようになっている。すなわち、管理ルーム５０内には、集塵装置１１を保管する保管ヤード５１と、集塵袋２２等の消耗備品をストックする在庫ヤード５２と、集塵装置１１を使用する上での集塵袋２２の着脱作業を含む少なくとも１つの付帯作業を実行可能な作業ヤード５３とが並設されている。
【００２７】
保管ヤード５１の壁面には複数（図５では５つ）の引っ掛け部５４が突設されている。そして、各引っ掛け部５４に対してベルト４０を引っ掛けることにより、集塵装置１１が吊り下げ支持されている。また、在庫ヤード５２には集塵袋２２及びフィルター部材２４等の複数種の消耗備品が棚の上などに載置された状態でストックされている。また、作業ヤード５３には、作業者１３の腰高さよりも低い作業面を有する作業テーブル５５が配置されている。そのため、作業者１３は、集塵装置１１における付帯作業である本体部２１に対する集塵袋２２の着脱作業等を行うときは、その作業テーブル５５上で作業することが可能とされる。
【００２８】
また、作業ヤード５３の壁面にも、保管ヤード５１の壁面と同様に、集塵装置１１のベルト４０を引っ掛け可能な引っ掛け部５４が突設されている。そして、その引っ掛け部５４の突設位置の下方となる位置の作業テーブル５５上には、熱可塑性材料からなる袋体である集塵袋２２における塵２５の収容部分２２ｂよりも開口部２２ｃ側の部位を熱溶着で封止可能なヒートシーラーなどの封止具５６が設けられている。
【００２９】
図６に示すように、封止具５６は、上側ヒート部５６ａが下側ヒート部５６ｂに対して開閉動作可能に支持された構造であり、上側ヒート部５６ａと下側ヒート部５６ｂとの間に集塵袋２２における塵２５の収容部分２２ｂよりも開口部２２ｃ側の部位を挟んだ状態で、その部位を帯状に熱溶着して封止するものである。すなわち、封止具５６は、図５に示したように、集塵装置１１に装着されている集塵袋２２内に収容されている集塵量が所定量以上になっている場合に、その集塵袋２２における塵２５の収容部分２２ｂよりも開口部２２ｃ側の部位を帯状に熱溶着する。
【００３０】
また、図５に示すように、管理ルーム５０内には、長尺筒状の集塵袋２２から塵２５の収容部分２２ｂに相当する部分だけ分離された袋体状の集塵袋２２を廃棄するための廃棄ボックス５７が設けられている。この廃棄ボックス５７は、作業ヤード５３を挟んで在庫ヤード５２の反対側に隣接するように設けられている。したがって、作業ヤード５３において封止具５６により帯状の熱溶着部分が形成された後に当該熱溶着部分の幅方向の内側で切断されて袋体状に分離形成された集塵袋２２は、その場から即座に廃棄口５７ａを介して廃棄ボックス５７内へ廃棄される。
【００３１】
また、図５に示すように、管理ルーム５０には保管ヤード５１への出入口ともなる１つの出入口５８が設けられている。そのため、保管ヤード５１は、在庫ヤード５２及び作業ヤード５３よりも、管理ルーム５０が有する１つの出入口５８側に位置することになる。すなわち、作業者１３は、出入口５８を通じて管理ルーム５０内に入ると、他のヤードを経由することなく、集塵装置１１の保管ヤード５１に入ることが可能とされる。
【００３２】
図７に示すように、長尺筒状の集塵袋２２の表面には、その長さ方向において所定間隔をおいた複数箇所に集塵量の目安となる基準線６１が印刷されている。そのため、作業者１３は、塵２５の集塵量が基準線６１の近くまで至ったと判断した場合、その基準線６１の部分を帯状に封止具５６で熱溶着する。そして、その熱溶着部分の幅方向の略中間位置で集塵袋２２を切断すると、その切断線を挟んで集塵袋２２の底部２２ａと封着部２２ｄが形成される。また、同じく長尺筒状の集塵袋２２の表面において、基準線６１と略対応する位置には、穿孔等される被加工品１６の材料名や穿孔作業等を実行した作業者名などを記載する表記枠６２が印刷されている。
【００３３】
そこで次に、上記の集塵装置１１及びその運用管理システムの作用について説明する。
さて、図１に示すように、可搬支持具２３のフック部３８を作業者１３の腰に巻かれたベルト４０に掛止すると、作業者１３は、手に持った電動工具１２と共に集塵装置１１を携帯して使用することが可能となる。そのため、穿孔作業を施す必要のある被加工品１６の配置箇所が複数箇所に亘る場合にも、作業者１３は自らが集塵装置１１を携帯して移動することにより、簡便に複数箇所での穿孔作業に対応できる。
【００３４】
また、そのように電動工具１２と集塵装置１１を携帯した作業者１３が移動した場合、図４（ａ）（ｂ）に二点鎖線で示すように、移動する集塵袋２２に対して外部に位置する物４２が相対移動して、占有空間域４１内の集塵袋２２と当たりそうになることがある。しかし、そのような場合でも、その物４２は、背板部３１の外縁部３１ａ、支持部３２の外縁部３２ａ及び底板部３６の外縁部３６ａの何れかと当接することにより、占有空間域４１への進入が阻止される。この点で、背板部３１の外縁部３１ａ、支持部３２の外縁部３２ａ、及び底板部３６の外縁部３６ａは、当接した場合に集塵袋２２に破損を生じさせる虞のある外部の物４２から集塵袋２２をガードするガード部として機能する。
【００３５】
さらに、図８に示すように、集塵装置１１を携帯した作業者１３が腰を落とした姿勢で穿孔作業をするような場合もあり得る。こうした場合、フック部３８が背板部３１に対して回動自在に支持された構造ではなく、回動不能に固定された構造であると、可搬支持具２３の下端部が床面などの他部材に突っかかった状態になって作業に支障が生じる虞がある。しかし、本実施形態のフック部３８は、背板部３１に回動自在に支持されているため、図８に示すように、ピン３９を回動中心にして背板部３１を傾斜姿勢となるように回動変位させる。
【００３６】
また、そのように可搬支持具２３が傾斜姿勢となったり移動したりすると、本体部２１に対して外部から物が当たりそうになることがあり得る。しかし、そのような場合でも、その物は、背板部３１の外縁部３１ａ、支持部３２の外縁部３２ａ、及び底板部３６の外縁部３６ａの何れかと当接することにより、占有空間域４１への進入が阻止され、本体部２１に外部から物が当たる可能性を低下させる。
【００３７】
なお、集塵装置１１の運用管理面では、被加工品１６に穿孔作業をする場合、作業者１３は、管理ルーム５０内に出入口５８から入り、保管ヤード５１に保管されている集塵装置１１を管理ルーム５０から持ち出して使用する。そして、その持ち出しの際に、例えば集塵袋２２の新旧交換が必要と判断すると、集塵装置１１から旧い集塵袋２２を分離すると共に在庫ヤード５２から新しい集塵袋２２を取り出し、新旧の集塵袋２２の交換という付帯作業を実行する。そのため、かかる付帯作業（集塵袋２２の着脱作業）を作業ヤード５３で実行済みの集塵装置１１を管理ルーム５０から持ち出して穿孔作業等に使用するようにすれば、その作業の途中で集塵袋２２の着脱等という付帯作業が必要となる可能性も低くなる。なお、この点は、集塵装置１１の持ち出しの際に同じく消耗備品の一種であるフィルター部材２４の交換の判断及びその着脱交換をした場合も同様である。
【００３８】
一方、集塵装置１１の持ち出しにあたり、集塵袋２２やフィルター部材２４の着脱等の付帯作業は必要なしと判断される場合は、保管ヤード５１から出入口５８を介して即座に管理ルーム５０外へと出ることが可能とされる。なお、保管ヤード５１で手にした集塵装置１１の集塵袋２２の集塵量が基準線６１近くまで至っている場合は、既述したように、その集塵袋２２における塵２５の収容部分２２ｂよりも開口部２２ｃ側の部位が封止具５６により帯状に熱溶着される。そして、その帯状の熱溶着部分の幅方向の内側が切断されることにより、袋体状に集塵袋２２が分離されて廃棄ボックス５７に廃棄される。
【００３９】
上記の実施形態によれば、以下のような効果を享受できる。
（１）可搬支持具２３を移動させることにより、集塵袋２２を外部から視認可能にした状態にて集塵装置１１を簡単に所望の位置に移動させることができる。また、そのような移動に伴って集塵袋２２に外部から物４２が当たりそうになった場合でも、その物４２は集塵袋２２に当たるよりも先にガード部として機能する底板部３６等の各外縁部３１ａ，３２ａ，３６ａに当たる可能性の方が高い。したがって、吸引により集塵した塵２５を収容する集塵袋２２が集塵装置１１の可搬態様での使用時に外部の物４２と当接して破損する虞を低減できる。
【００４０】
（２）フック部３８を例えば作業者１３が腰に巻くベルト４０等の他部材に掛止すれば、作業者１３は集塵装置１１を携帯して使用することができるので、装置使用の利便性が向上する。
【００４１】
（３）可搬支持具２３に対して外部から物が当たった場合でも、可搬支持具２３はフック部３８に対して回動変位することにより、柔軟に吊り下げ姿勢を変化させるので、外部から当たった物に突っかかった状態になって作業に支障が生じる虞を低減できる。
【００４２】
（４）可搬支持具２３の移動に伴って本体部２１に外部から物が当たりそうになった場合でも、その物は本体部２１に当たるよりも先に支持部３２の外縁部３２ａに当たる可能性の方が高いので、含塵空気を吸引する本体部２１が集塵装置１１の可搬態様での使用時に外部の物と当接して破損する虞を低減できる。
【００４３】
（５）本体部２１に吸引した含塵空気中から塵２５を分離した空気は清浄化された状態で大気に排出されるので、排出される空気によって作業環境が悪化する虞を低減できる。
（６）保管ヤード５１に保管されている集塵装置１１を管理ルーム５０から持ち出して使用するにあたり、例えば集塵袋２２の新旧交換が必要と判断される場合には、集塵装置１１から旧い集塵袋２２が分離される。そして、それに続けて、在庫ヤード５２から新しい集塵袋２２を取り出して、新旧の集塵袋２２の交換という付帯作業を、保管ヤード５１に並設された作業ヤード５３において即座に実行できる。そして、かかる付帯作業を作業ヤード５３で実行済みの集塵装置１１を管理ルーム５０から持ち出して穿孔作業等に使用するようにすれば、その作業の途中で集塵袋２２の着脱等という付帯作業が必要となって穿孔作業等を中断させてしまう虞を小さくできる。したがって、消耗備品の着脱交換など集塵装置１１を使用する上で実行される付帯作業の効率的な実行を可能にでき、集塵装置１１の運用コストを低減することができる。
【００４４】
（７）管理ルーム５０が有する１つの出入口５８を通じて管理ルーム５０内に入ると、他のヤードを経由することなく、集塵装置１１の保管ヤード５１に入ることができ、その時点では持ち出そうとする集塵装置１１に関して付帯作業は必要なしと判断した場合、即座に、出入口５８から管理ルーム５０外へ集塵装置を持ち出すことができる。したがって、最短の動線にて集塵装置１１の持ち出し作業を行うことができ、この点でも集塵装置１１の運用コストを低減することができる。
【００４５】
（８）管理ルーム５０内の作業ヤード５３で集塵装置１１から分離した集塵袋２２内に塵２５が基準線６１の近くまで収容されている場合、その集塵袋２２を管理ルーム５０の外に持ち出すことなく、管理ルーム５０内の廃棄ボックス５７に廃棄できるので、管理ルーム５０の外へ微細な塵２５が飛散する虞を低減できる。したがって、そのような塵２５が管理ルーム５０の外へ飛散した場合に必要となる除塵作業のコストが不要になる点でも、集塵装置１１の運用コストの低減に寄与できる。
【００４６】
（９）集塵装置１１から内部に塵２５を収容した集塵袋２２を分離して中身の塵２５と共に廃棄する際に、集塵袋２２内から塵２５が漏出しないように、前もって集塵袋２２の開口部２２ｃ付近を封止することができる。したがって、管理ルーム５０内に集塵袋２２から塵２５が漏出して飛散する虞を低減できるので、そのような塵２５が管理ルーム５０内で飛散した場合に必要となる除塵作業のコストが不要になる点でも、集塵装置１１の運用コストの低減に寄与できる。
【００４７】
（１０）集塵袋２２における開口部２２ｃ側の帯状に熱溶着された部分の幅方向の内側を切断すると、新たな集塵袋２２の底部２２ａ及び旧い集塵袋２２の封着部２２ｄが形成される。そして、その熱封着部分の切断時には塵２５が落下することもないので、そのような落下した塵２５の除塵作業コストが不要になる点でも、集塵装置１１の運用コストの低減に寄与できる。
【００４８】
なお、上記実施形態は、以下のような変形例に変更してもよい。
・図９に示すように、作業台１５上に複数（この場合は３つ）の被加工品１６を所定の間隔をおいて横並びに配置すると共に、それらの各配置箇所の上方に行き渡るようにワイヤー４３を架設する。そして、そのワイヤー４３に対して集塵装置１１における可搬支持具２３のフック部３８を掛止するようにしてもよい。このようにした場合は、作業者１３が携帯しなくても、集塵装置１１はワイヤー４３に沿ってフック部３８を摺動させることで、穿孔作業が行われる複数個所へ移動される。
【００４９】
・また、図１０（ａ）に示すようにフック部３８をワイヤー４３に掛止して摺動させる形態以外に、図１０（ｂ）に示すように、フック部３８の内側に滑車４４を設け、この滑車４４がワイヤー４３に沿って転動するようにしてもよい。このようにすれば、より円滑に集塵装置１１を可搬支持具２３と共に移動させることができる。なお、上記構成に係る図１０（ａ）のフック部３８と図１０（ｂ）の滑車４４があるフック部３８との着脱交換も可能であって、そのような交換作業は集塵装置１１における付帯作業の１つとして管理ルーム５０の作業ヤード５３で行われる。また、このような着脱交換に供される複数種のフック部３８は管理ルーム５０の在庫ヤード５２にストックされている。
【００５０】
・また、図１０（ｃ）に示すように、背板部３１の裏面（後面）側にフック部３８とは別に断面逆Ｌ字状の掛止部４５を設け、この掛止部４５を長尺帯板状のレール４６に掛け止めてもよい。このようにした場合も、集塵装置１１をレール４６に沿って移動させることが可能である。
【００５１】
・さらに、図１０（ｄ）に示すように、可搬支持具２３をキャスター４７付きのベース板４８上へ立設状態に載置固定し、ベース板４８を移動させることにより、集塵装置１１を移動させるようにしてもよい。このようにした場合も集塵装置１１を所望の位置へ移動させることが可能である。
【００５２】
・集塵装置１１においてフィルター部材２４は必ずしもなくてよい。
・可搬支持具２３における支持部３２の外縁部３２ａは、必ずしも集塵袋２２の占有空間域４１の外側に位置していなくてもよい。なお、この場合は、集塵袋２２の占有空間域４１の外側に外部から占有空間域４１に接近する物に当接可能な枠等を設けることが望ましい。
【００５３】
・フック部３８の形状は、断面逆Ｕ字状に限定されず、ワイヤーなどを挿通可能とする筒状に形成されていてもよい。
・可搬支持具２３は、背板部３１の外縁部３１ａ、支持部３２の外縁部３２ａ、及び底板部３６の外縁部３６ａのうち、少なくとも一つが集塵袋２２の占有空間域４１の外側に位置していればよい。
【００５４】
・集塵袋２２は、長尺筒状のものに限らず、塵２５の収容部分２２ｂに相当する短尺のタイプの袋体が一つずつ本体部２１に着脱交換されるようにしてもよい。
・長尺筒状の集塵袋２２に帯状の熱溶着部分を形成する封止具５６は必ずしも必要ではない。但し、この場合は、その封止具５６に代わるものとして結束具などを用意することが好ましい。
【００５５】
・管理ルーム５０内において廃棄ボックス５７は作業ヤード５３の隣に限らず、任意の位置に配置可能である。
・管理ルーム５０において、保管ヤード５１と出入り口５８との間に他のヤードが存在するようにしてもよい。
【００５６】
・電動工具１２は、電動ドリル以外に電動砥石など穿孔作業以外に研磨作業や研削作業を行うものであってもよい。また、作業者１３によって可搬式の集塵装置１１と共に携帯して使用される工具は、モーターの駆動力でドリルを回転させる電動ドリル以外にエアーの圧力でドリルを回転させるエアードリル等のエアーツールであってもよい。
【００５７】
・集塵装置１１は、その本体部２１及び集塵袋２２を収容可能なハウジングを具備し、そのハウジング内に集塵袋２２が外部からの視認不能に収容される構成であってもよい。要するに、保管ヤード５１と在庫ヤード５２と作業ヤード５３とが並設された管理ルーム５０内で保管及びメンテナンス作業が行われる集塵装置１１であればよく、集塵袋２２は必ずしも露出していなくてよい。
【００５８】
・集塵装置１１は、可搬支持具２３を介して作業者１３に携帯される構成以外に、そのような可搬支持具２３を備えずに、その本体部２１等を掴んで持ち運ばれる構成であってもよい。要するに、持ち運びできない据置タイプでなく、その一部を作業者１３が持って運搬できる可搬式タイプであれば、フック部３８を有した可搬支持具２３は必須の構成ではない。
【符号の説明】
【００５９】
１１…集塵装置、２１…本体部、２２…集塵袋（消耗備品）、２２ｂ…塵の収容部分、２２ｃ…開口部、２３…可搬支持具、２４…フィルター部材（消耗備品）、２５…塵、３１…背板部（ガード部）、３２…支持部（ガード部）、３６…底板部（ガード部）、３１ａ，３２ａ，３６ａ…外縁部、３８…フック部、４１…占有空間域、５０…管理ルーム、５１…保管ヤード、５２…在庫ヤード、５３…作業ヤード、５６…封止具、５７…廃棄ボックス、５８…出入口。
【図１】
2014176906.tif 000003
【図２】
2014176906.tif 000004
【図３】
2014176906.tif 000005
【図４】
2014176906.tif 000006
【図５】
2014176906.tif 000007
【図６】
2014176906.tif 000008
【図７】
2014176906.tif 000009
【図８】
2014176906.tif 000010
【図９】
2014176906.tif 000011
【図１０】
2014176906.tif 000012